(57)【要約】【課題】実時間と相対的な関係にある相対時間を設定して表示すること。【解決手段】相対時刻表示装置１００は、実時間とは異なった実時間と相対的な関係にある時間（以下、「相対時間」と呼ぶ）の設定を受け付ける相対時間設定受付手段と、相対時間設定受付手段で受け付けた相対時間に基づいて、計時を行う相対時間計時手段と、相対時間計時手段による計時に基づいて、相対時間における現在の時刻（以下、「相対時刻」と呼ぶ）を特定する相対時刻特定手段と、相対時刻特定手段で特定した相対時刻に応じた画像または映像を表示装置に表示する表示制御手段とを備える。【選択図】図１
2013168511.tif 000002
【特許請求の範囲】
【請求項１】
実時間とは異なった実時間と相対的な関係にある時間（以下、「相対時間」と呼ぶ）の設定を受け付ける相対時間設定受付手段と、
前記相対時間設定受付手段で受け付けた前記相対時間に基づいて、計時を行う相対時間計時手段と、
前記相対時間計時手段による計時に基づいて、相対時間における現在の時刻（以下、「相対時刻」と呼ぶ）を特定する相対時刻特定手段と、
前記相対時刻特定手段で特定した前記相対時刻に応じた画像または映像を表示装置に表示する表示制御手段とを備えることを特徴とする相対時刻表示装置。
【請求項２】
請求項１に記載の相対時刻表示装置において、
前記表示装置に時計を模した時計画像を表示する時計画像表示手段をさらに備え、
前記相対時間設定受付手段は、前記時計画像表示手段によって表示された前記時計画像上で、前記実時間と前記相対時間との対応関係の指定を受け付けることにより、前記相対時間の設定を受け付けることを特徴とする相対時刻表示装置。
【請求項３】
請求項１または２に記載の相対時刻表示装置において、
前記表示制御手段は、前記表示装置に表示した画像の色及び明るさの少なくとも一方を前記相対時刻に応じて変化させることを特徴とする相対時刻表示装置。
【請求項４】
請求項３に記載の相対時刻表示装置において、
前記表示制御手段は、前記表示装置に空の画像または映像を表示し、前記空の色及び明るさの少なくとも一方を前記相対時刻に応じて変化させることを特徴とする相対時刻表示装置。
【請求項５】
請求項1〜４のいずれか一項に記載の相対時刻表示装置において、
前記表示制御手段は、前記画像または前記映像に重畳して前記相対時刻を表示することを特徴とする相対時刻表示装置。
【請求項６】
実時間とは異なった実時間と相対的な関係にある時間（以下、「相対時間」と呼ぶ）の設定を受け付ける相対時間設定受付手順と、
前記相対時間設定受付手順で受け付けた前記相対時間に基づいて、計時を行う相対時間計時手順と、
前記相対時間計時手順による計時に基づいて、相対時間における現在の時刻（以下、「相対時刻」と呼ぶ）を特定する相対時刻特定手順と、
前記相対時刻特定手順で特定した前記相対時刻に応じた画像または映像を表示装置に表示する表示制御手順とをコンピュータに実行させるための相対時刻表示プログラム。
【請求項７】
請求項６に記載の相対時刻表示プログラムにおいて、
前記表示装置に時計を模した時計画像を表示する時計画像表示手順をさらに備え、
前記相対時間設定受付手順は、前記時計画像表示手順で表示した前記時計画像上で、前記実時間と前記相対時間との対応関係の指定を受け付けることにより、前記相対時間の設定を受け付けることを特徴とする相対時刻表示プログラム。
【請求項８】
請求項６または７に記載の相対時刻表示プログラムにおいて、
前記表示制御手順は、前記表示装置に表示した画像の色及び明るさの少なくとも一方を前記相対時刻に応じて変化させることを特徴とする相対時刻表示プログラム。
【請求項９】
請求項８に記載の相対時刻表示プログラムにおいて、
前記表示制御手順は、前記表示装置に空の画像または映像を表示し、前記空の色及び明るさの少なくとも一方を前記相対時刻に応じて変化させることを特徴とする相対時刻表示プログラム。
【請求項１０】
請求項６〜９のいずれか一項に記載の相対時刻表示プログラムにおいて、
前記表示制御手順は、前記画像または前記映像に重畳して前記相対時刻を表示することを特徴とする相対時刻表示プログラム。
【発明の詳細な説明】
【技術分野】
【０００１】
本発明は、相対時刻表示装置、および相対時刻表示プログラムに関する。
【背景技術】
【０００２】
次のようなサマータイム時刻制御システムが知られている。このサマータイム時刻制御システムは、サマータイム期間中は、エレベータの内部時計の時刻設定をサマータイムに対応させる（特許文献１参照）。
【先行技術文献】
【特許文献】
【０００３】
【特許文献１】特開２０１０−１１１４８４号公報
【発明の概要】
【発明が解決しようとする課題】
【０００４】
しかしながら、従来のサマータイム時刻制御システムでは、エレベータの内部時計の時刻設定をサマータイムに対応させるのみで、ユーザーの時間感覚に合わせて任意に時間を設定することはできなかった。また、ユーザーの時間感覚に合わせた時間設定を想定していないため、ユーザーの時間設定に合わせた画面表示を行うことについても、何ら検討されていなかった。
【課題を解決するための手段】
【０００５】
本発明による相対時刻表示装置は、実時間とは異なった実時間と相対的な関係にある時間（以下、「相対時間」と呼ぶ）の設定を受け付ける相対時間設定受付手段と、相対時間設定受付手段で受け付けた相対時間に基づいて、計時を行う相対時間計時手段と、相対時間計時手段による計時に基づいて、相対時間における現在の時刻（以下、「相対時刻」と呼ぶ）を特定する相対時刻特定手段と、相対時刻特定手段で特定した相対時刻に応じた画像または映像を表示装置に表示する表示制御手段とを備える。
相対時刻表示装置は、表示装置に時計を模した時計画像を表示する時計画像表示手段をさらに備え、相対時間設定受付手段は、時計画像表示手段によって表示された時計画像上で、実時間と前記相対時間との対応関係の指定を受け付けることにより、相対時間の設定を受け付けるようにしてもよい。
表示制御手段は、表示装置に表示した画像の色及び明るさの少なくとも一方を相対時刻に応じて変化させるようにしてもよい。
表示制御手段は、表示装置に空の画像または映像を表示し、空の色及び明るさの少なくとも一方を前記相対時刻に応じて変化させるようにしてもよい。
表示制御手段は、画像または映像に重畳して相対時刻を表示するようにしてもよい。
本発明による相対時刻表示プログラムは、実時間とは異なった実時間と相対的な関係にある時間（以下、「相対時間」と呼ぶ）の設定を受け付ける相対時間設定受付手順と、相対時間設定受付手順で受け付けた相対時間に基づいて、計時を行う相対時間計時手順と、相対時間計時手順による計時に基づいて、相対時間における現在の時刻（以下、「相対時刻」と呼ぶ）を特定する相対時刻特定手順と、相対時刻特定手順で特定した相対時刻に応じた画像または映像を表示装置に表示する表示制御手順とをコンピュータに実行させる。
相対時刻表示プログラムは、表示装置に時計を模した時計画像を表示する時計画像表示手順をさらに備え、相対時間設定受付手順は、時計画像表示手順で表示した時計画像上で、実時間と相対時間との対応関係の指定を受け付けることにより、相対時間の設定を受け付けるようにしてもよい。
表示制御手順は、表示装置に表示した画像の色及び明るさの少なくとも一方を相対時刻に応じて変化させるようにしてもよい。
表示制御手順は、表示装置に空の画像または映像を表示し、空の色及び明るさの少なくとも一方を相対時刻に応じて変化させるようにしてもよい。
表示制御手順は、画像または映像に重畳して相対時刻を表示するようにしてもよい。
【発明の効果】
【０００６】
本発明によれば、ユーザーは、自身の時間感覚に合わせて任意に相対時間を設定することができる。また、相対時刻に応じた画像または映像を表示することにより、ユーザーにイメージを用いて相対時間を意識させることが可能となる。
【図面の簡単な説明】
【０００７】
【図１】相対時刻表示装置１００の一実施の形態の構成を示すブロック図である。
【図２】相対時間設定用時計の一例を示す第一の図である。
【図３】相対時間設定用時計を用いた相対時間の設定例を示す第一の図である。
【図４】相対時間設定用時計を用いた相対時間の設定例を示す第二の図である。
【図５】相対時間設定用時計を用いた相対時間の設定例を示す第三の図である。
【図６】相対時刻表示装置１００で実行される処理の流れを示すフローチャート図である。
【図７】相対時間設定用時計の一例を示す第二の図である。
【図８】相対時間設定用時計の一例を示す第三の図である。
【図９】相対時間設定用時計の一例を示す第四の図である。
【発明を実施するための形態】
【０００８】
図１は、本実施の形態における相対時刻表示装置１００の一実施の形態の構成を示すブロック図である。相対時刻表示装置１００としては、例えば、パソコン、スマートフォン、携帯電話、タブレット、ＰＤＡなどの種々の情報端末が用いられ、これらの情報端末に相対時刻表示プログラムをインストールすることにより、本実施の形態における相対時刻表示装置１００として動作する。図１は、相対時刻表示装置１００としてスマートフォンを用いた場合のブロック図を示している。
【０００９】
相対時刻表示装置１００は、タッチパネル１０１と、通信モジュール１０２と、制御装置１０３と、メモリスロット１０４と、マイク１０５と、スピーカー１０６とを備えている。
【００１０】
タッチパネル１０１は、液晶パネル等の表示装置とタッチパッドのような位置入力装置を組み合わせた電子部品であり、画面上の表示を押すことで機器を操作することができる入力装置である。例えば、相対時刻表示装置１００の使用者は、液晶パネル上に表示されたボタンやメニュー等の表示項目を指やタッチペンを用いてタッチまたはスライドさせることにより、相対時刻表示装置１００を操作することができる。タッチパネル１０１は、使用者によるタッチやスライドといった操作を検出して、その検出信号を制御装置１０３へ出力する。
【００１１】
通信モジュール１０２は、無線ＬＡＮのアクセスポイントを介してインターネットに接続するためのモジュールや携帯電話通信網を介してインターネットに接続するためのモジュールが用いられる。相対時刻表示装置１００は、この無線モジュール１０２によりインターネットや携帯電話通信網等に接続して通信を行う。
【００１２】
制御装置１０３は、ＣＰＵ、メモリ、およびその他の周辺回路によって構成され、相対時刻表示装置１００の全体を制御する。なお、制御装置１０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、相対時刻表示装置１００を動作させるためのファームウェアや種々のアプリケーションを動作させるためのソフトウェアのプログラムデータが記録される。本実施の形態では、例えば、相対時刻表示プログラムは、スマートフォンで実行可能な相対時刻表示アプリとして提供される。そして、ダウンロード等によって入手された相対時刻表示アプリのプログラムデータが不揮発性のメモリに記録されることにより、相対時刻表示装置１００に相対時刻表示アプリがインストールされる。
【００１３】
メモリスロット１０４は、メモリカード等の外部メモリを挿入するためのスロットである。使用者は、このメモリスロット１０４にメモリカードを挿入して、相対時刻表示装置１００の記憶容量を増加させることができる。例えば、相対時刻表示装置１００がカメラ機能を備えている場合には、撮影によって得られた画像データをメモリカードに記録することにより、画像データが制御装置１０３を構成するフラッシュメモリの容量を圧迫することを防ぐことができる。また、相対時刻表示プログラムデータをメモリスロット１０４に挿入されたメモリカード内に記録できるようにしてもよい。
【００１４】
マイク１０５は、使用者による発話音声を入力するための集音装置である。また、スピーカー１０６は、音声を出力するための出力装置である。
【００１５】
本実施の形態における相対時刻表示装置１００は、時刻を計時する時計機能を備える。具体的には、制御装置１０３が備えるメモリに時計機能を実現するためのプログラムがインストールされている。この時計機能により、実時間、すなわち日本であれば日本標準時が計時される。
【００１６】
本実施の形態における相対時刻表示装置１００では、さらに、実時間とは異なった実時間と相対的な関係にある時間を設定することが可能であり、使用者は、自身が感じる時間感覚で１日の時間を設定することができる。具体的には、使用者は、実時間の２４時間に対して、自身の時間感覚に合った相対的な時間（以下、「相対時間」と呼ぶ）を任意に設定することができるものとする。
【００１７】
例えば、使用者は、タッチパネル１０１を操作して、タッチパネル１０１上に図２に示すような時計を模した画像を表示させる。ここでは、図２に示すように画像として表示された時計を相対時間設定用時計と呼ぶ。使用者は、この相対時間設定用時計を操作して、実時間の２４時間に対して、自身の時間感覚に合った相対時間を任意に設定することができる。以下、図２に示す相対時間設定用時計を用いた相対時間の設定方法について説明する。
【００１８】
相対時間設定用時計は、図２に示すように、実時間を１周２４時間で表す実時間表示盤２ａと、実時間表示盤２ａ上で実時間における現在時刻（以下、「実時刻」と呼ぶ）を表す実時刻表示用針２ｂと、相対時間を１周２４時間で表す相対時間表示盤２ｃと、使用者が相対時間の設定に用いる相対時間設定用針２ｄ〜２ｆとで構成される。そして、相対時間設定用針２ｄは相対時間の１２時を指定するための針、相対時間設定用針２ｅは相対時間の３時を指定するための針、相対時間設定用針２ｆは相対時間の１８時を指定するための針となっている。
【００１９】
使用者は、タッチパネル１０１上で相対時間設定用針２ｄ〜２ｆのいずれかにタッチして、相対時間表示盤２ｃの円周方向にスライドさせることにより、相対時間設定用針２ｄ〜２ｆを相対時間表示盤２ｃ上で円周方向に移動させて、相対時間設定用針２ｄ〜２ｆが指す時間を変更することができる。これにより、使用者は、実時間表示盤２ａに表示されている実時間に対して相対時間を設定することができる。すなわち、使用者は、相対時間設定用針２ｄ〜２ｆを相対時間表示盤２ｃ上で円周方向に移動させることにより、実時間表示盤２ａにより表されている実時間と相対時間表示盤２ｃにより表されている相対時間との対応関係を相対時間設定用針２ｄ〜２ｆを用いて指定することができる。以下、相対時間設定用針２ｄ〜２ｆを用いた相対時間の設定例について説明する。
【００２０】
実時間と自身の時間感覚が一致している使用者は、図２に示すように、相対時間設定用針２ｄを実時間表示盤２ａの１２時を指すように配置し、相対時間設定用針２ｅを実時間表示盤２ａの３時を指すように配置し、相対時間設定用針２ｆを実時間表示盤２ａの１８時を指すように配置すればよい。
【００２１】
一方で、実時間と自身の時間感覚が一致していない使用者は、自身の時間感覚に合わせて次のように相対時間を設定することができる。ここでは、例えば、自身の時間感覚が実時間より３時間遅い使用者が相対時間を設定する例について説明する。この使用者にとっては、実時間の１２時が相対時間の１５時、実時間の１８時が相対時間の２１時、実時間の３時が相対時間の６時となる。従って、使用者は、図３に示すように、相対時間設定用針２ｄを実時間表示盤２ａの１５時を指すように配置し、相対時間設定用針２ｅを実時間表示盤２ａの６時を指すように配置し、相対時間設定用針２ｆを実時間表示盤２ａの２１時を指すように配置する。これにより、使用者は、実時間より３時間遅い時間間隔に合わせて、相対時間を設定することが可能となる。なお、このように全ての相対時間設定用針を同じ時間分移動させる場合は、使用者は、相対時間表示盤２ｃ上の任意の点にタッチして、そのまま指を円周方向にスライドさせることにより、相対時間設定用針２ｄ〜２ｆを一度に移動させることができる。これによって、使用者は、相対時間設定用針２ｄ〜２ｆが指す時間をまとめて変更することができる。
【００２２】
また、例えば、実時間と比較して昼間の時間帯を長く感じる時間感覚を有している使用者は、該当する時間帯が実時間より長くなるように相対時間を設定することもできる。例えば、１２時から１８時の間は実時間では６時間であるが、この間を８時間に感じる時間感覚を有している使用者が相対時間を設定する例について説明する。この使用者にとっては、実時間の１２時が相対時間の１２時、実時間の１８時が相対時間の２０時、実時間の３時が相対時間の３時となる。従って、使用者は、図４に示すように、相対時間設定用針２ｄを実時間表示盤２ａの１２時を指すように配置し、相対時間設定用針２ｅを実時間表示盤２ａの３時を指すように配置し、相対時間設定用針２ｆを実時間表示盤２ａの２０時を指すように配置する。これにより、使用者は、実時間の１２時から１８時の間を８時間と感じる時間感覚に合わせて、相対時間を設定することが可能となる。
【００２３】
また、図５に、昼夜が逆転した時間感覚を有している使用者による相対時間の設定例を示す。この使用者は、図５に示すように、相対時間設定用針２ｄを実時間表示盤２ａの０時を指すように配置し、相対時間設定用針２ｅを実時間表示盤２ａの１５時を指すように配置し、相対時間設定用針２ｆを実時間表示盤２ａの６時を指すように配置する。これにより、使用者は、昼夜が逆転した時間感覚に合わせて、相対時間を設定することができる。制御装置１０３は、相対時間設定用時計上での使用者による相対時間の設定内容を特定し、該相対時間の設定内容を特定するための相対時間設定情報をフラッシュメモリに記録する。
【００２４】
このように、本実施の形態における相対時刻表示装置１００では、使用者は、自身の時間感覚で１日の相対時間を設定することができる。このため、使用者は、本実施の形態における相対時刻表示装置１００を、例えば以下のような目的で利用することができる。
【００２５】
（１）使用者の体内時計の調整
使用者は、不規則な生活により体内時計が実時間と合わなくなってしまった場合に、まず自身の時間感覚に合わせて相対時間を設定して生活を送る。その後、一定期間ごとに相対時間の設定を実時間に近づけていき、最終的に実時間と相対時間を一致させることができれば、使用者の体内時計を実時間に合わせることができる。例えば、使用者は、遅番や夜勤などの勤務明け時に、自身の体内時計を実時間に合わせるように調整することができる。
【００２６】
（２）海外旅行時の時差ぼけの解消
使用者は、海外旅行時に現地時間を実時間とし、時差ぼけに伴って狂いが生じている自身の時間感覚に合わせて相対時間を設定する。その後、一定期間ごとに相対時間の設定を現地の実時間に近づけていき、最終的に実時間と相対時間を一致させることができれば、使用者の時差ぼけを徐々に解消することができる。
【００２７】
（３）使用者の私生活リズムと実時間とのギャップを調整
使用者が自身の使用者の私生活リズムと実時間にギャップを感じている場合には、まず自身の私生活リズムに合わせて相対時間を設定して生活を送る。その後、一定期間ごとに相対時間の設定を実時間に近づけていき、最終的に実時間と相対時間を一致させることができれば、使用者の私生活リズムを実時間に合わせて調整することができる。
【００２８】
（４）１日を楽しく過ごすための時間遊び
使用者は、一日の時間配分を楽しい時間が長く、つまらない時間や退屈な時間が短く感じられるように相対時間を設定することもできる。例えば、好きな人と一緒にいる時間は、実時間に対して相対時間が長くなるように設定し、つまらない時間や退屈な時間は、実時間に対して相対時間が短くなるように設定すればよい。これにより、同じ４時間であったとしても、好きな人と一緒にいる時間を６時間と感じたり、つまらない時間や退屈な時間を２時間と感じるようにするなどして、１日を楽しく過ごすための時間遊びをすることが可能となる。
【００２９】
制御装置１０３は、使用者によって相対時間が設定された後は、設定された相対時間に基づいて計時を行い、使用者からの相対時間の表示指示に基づいて、タッチパネル１０１上に相対時間に基づく現在の時刻（以下、「相対時刻」と呼ぶ）の表示を行う。
【００３０】
本実施の形態では、制御装置１０３は、タッチパネル１０１上に相対時刻を示す空の画像を表示することにより、使用者に相対時刻を通知する。本実施の形態では、この空の画像を用いて相対時刻を表した時計を空時計と呼ぶ。具体的には、制御装置１０３は、相対時刻が実時間の朝に対応する時刻である場合には、朝焼けを示した画像を表示し、相対時刻が実時間の日中に対応する時刻である場合には、晴天を示した画像を表示する。また、制御装置１０３は、相対時刻が実時間の夕方に対応する時刻である場合には、夕焼けを示した画像を表示し、相対時刻が実時間の夜間に対応する時刻である場合には、星空を示した画像を表示する。また、制御装置１０３は、空の画像に重畳して、相対時刻を数字や文字で表示するようにしてもよい。
【００３１】
図６は、本実施の形態における相対時刻表示装置１００で実行される処理の流れを示すフローチャートである。図６に示す処理は、使用者によって相対時刻表示アプリが実行されると起動するプログラムとして、制御装置１０３によって実行される。なお、使用者は、タッチパネル１０１上に配置されたアイコンの中から相対時刻表示アプリのアイコンを選択してタッチすることにより相対時間表示アプリを起動させることができるものとする。
【００３２】
ステップＳ１０において、制御装置１０３は、フラッシュメモリから相対時間設定情報を読み込む。なお、未だ使用者によって相対時刻が設定されていない場合には、フラッシュメモリには相対時間設定情報が記録されていないため、ここでの読み込みは行われない。その後、ステップＳ２０へ進む。
【００３３】
ステップＳ２０では、制御装置１０３は、使用者によって空時計の表示が指示されたか否かを判断する。ステップＳ２０で否定判断した場合には、後述するステップＳ４０へ進む。これに対して、ステップＳ２０で肯定判断した場合には、ステップＳ３０へ進む。
【００３４】
ステップＳ３０では、制御装置１０３は、ステップＳ１０で読み込んだ相対時間情報に基づいて、相対時間の設定内容を特定する。そして、制御装置１０３は、特定した相対時間の設定内容に基づいて現在の相対時刻を特定し、上述したように、特定した現在の相対時刻に応じた空時計を表示する。その後、ステップＳ４０へ進む。
【００３５】
ステップＳ４０では、制御装置１０３は、使用者によって相対時間の設定が指示されたか否かを判断する。例えば、相対時刻表示アプリの画面上には、相対時間の設定のために上述した相対時間設定用時計を表示させるためのボタンが配置されており、制御装置１０３は、使用者による該ボタンの操作を監視することにより、相対時間の設定指示を検出する。ステップＳ４０で否定判断した場合には、後述するステップＳ８０へ進む。これに対して、ステップＳ４０で肯定判断した場合には、ステップＳ５０へ進む。
【００３６】
ステップＳ５０では、制御装置１０３は、タッチパネル１０１上に図２に示した相対時間設定用時計を表示して、ステップＳ６０へ進む。
【００３７】
ステップＳ６０では、制御装置１０３は、タッチパネル１０１からの出力信号に基づいて、使用者によって、相対時間設定用時計上で相対時間設定用針２ｄ〜２ｆが移動されることにより、相対時間が設定され、その操作が終了したか否かを判断する。ステップＳ６０で否定判断した場合には、後述するステップＳ８０へ進む。これに対して、ステップＳ６０で肯定判断した場合には、ステップＳ７０へ進む。
【００３８】
ステップＳ７０では、制御装置１０３は、相対時間設定用時計上での使用者による相対時間の設定内容を特定し、該相対時間の設定内容を特定するための相対時間設定情報をフラッシュメモリに記録する。その後、ステップＳ８０へ進む。
【００３９】
ステップＳ８０では、制御装置１０３は、使用者によって相対時刻表示アプリの終了が指示されたか否かを判断する。例えば、使用者は、相対時刻表示アプリが定める所定の終了指示操作を行うことにより、相対時刻表示アプリの終了を指示することができるものとする。ステップＳ８０で否定判断した場合には、ステップＳ２０へ戻る。これに対して、ステップＳ８０で肯定判断した場合には、処理を終了する。
【００４０】
以上説明した本実施の形態によれば、以下のような作用効果を得ることができる。
（１）制御装置１０３は、実時間とは異なった実時間と相対的な関係にある相対時間の設定を受け付け、受け付けた相対時間に基づいて計時を行って、相対時間における現在の時刻に応じた空時計を表示するようにした。これによって、使用者は、自身の時間感覚に合わせて任意に相対時間を設定することができる。また、相対時刻に応じた空時計を表示することにより、使用者に空のイメージを用いて相対時間を意識させることが可能となる。さらに、使用者は、上述したように、使用者の体内時計の調整、海外旅行時の時差ぼけの解消、使用者の私生活リズムと実時間とのギャップを調整、または１日を楽しく過ごすための時間遊びを相対時刻表示装置１００を利用して行うことができる。
【００４１】
（２）制御装置１０３は、タッチパネル１０１上に図２に示した相対時間設定用時計を表示し、該相対時間設定用時計上で使用者による実時間と相対時間との対応関係の指定を受け付けることにより、相対時間の設定を受け付けるようにした。これによって、使用者は、実時間と相対時間との対応関係を視覚的に確認しながら、簡易な操作により相対時間を設定することができる。
【００４２】
（３）制御装置１０３は、空時計を表示するに際しては、相対時刻が実時間の朝に対応する時刻である場合には、朝焼けを示した画像を表示し、相対時刻が実時間の日中に対応する時刻である場合には、晴天を示した画像を表示するようにした。また、相対時刻が実時間の夕方に対応する時刻である場合には、夕焼けを示した画像を表示し、相対時刻が実時間の夜間に対応する時刻である場合には、星空を示した画像を表示するようにした。これによって、使用者は、空時計を見ることによって、現在の相対時間を感覚的に把握することができる。
【００４３】
（４）制御装置１０３は、空時計を表示するに際しては、空の画像に重畳して、相対時刻を数字や文字で表示できるようにした。これによって、使用者は、現在の相対時刻を把握することができる。
【００４４】
―変形例―
なお、上述した実施の形態の相対時刻表示装置１００は、以下のように変形することもできる。
【００４５】
（１）上述した実施の形態では、制御装置１０３は、タッチパネル１０１上に空時計を表示することにより、使用者に相対時刻を通知する例について説明した。しかしながら、その他の方法により相対時刻を通知してもよい。例えば、相対時刻に応じて画像の色や明るさを変化させるようにしてもよい。例えば、制御装置１０３は、相対時刻が実時間の朝や日中に対応する時刻である場合には、明るい色の画像を表示したり画像の明るさを上げるようにすればよい。一方、相対時刻が実時間の夕方や夜間に対応する時刻である場合には、暗い色の画像を表示したり画像の明るさを下げるようにすればよい。
【００４６】
（２）上述した実施の形態では、使用者は、図２に示した相対時間設定用時計上で、実時間の２４時間に対して、自身の時間感覚に合った相対時間を任意に設定する例について説明した。しかしながら、相対時間設定用時計は図２に示す例に限定されない。例えば、図７に示すように、実時間の日中に相当する時間帯には背景に太陽のマーク７ａを表示し、実時間の夜間に相当する時間帯には背景に月のマーク７ｂを表示するようにしてもよい。
【００４７】
（３）上述した実施の形態では、相対時間設定用時計において、相対時間設定用針２ｄは相対時間の１２時を指定するための針、相対時間設定用針２ｅは相対時間の３時を指定するための針、相対時間設定用針２ｆは相対時間の１８時を指定するための針である例について説明した。しかしながら、相対時間設定用針は図２に示す例に限定されない。例えば、図８に示すように、６時間間隔で４本の相対時間設定用針を配置するようにしてもよいし、図９に示すように１時間間隔で２４本の相対時間設定用針を配置するようにしてもよい。また、それ以外の時間間隔で複数本の相対時間設定用針を配置してもよい。なお、相対時間設定用針の本数を多くするほど細かい相対時間の設定が可能になる。
【００４８】
（４）上述した実施の形態では、制御装置１０３は、タッチパネル１０１上に相対時刻を示す空の画像を表示することにより、使用者に相対時刻を通知する例について説明した。しかしながら、制御装置１０３は、タッチパネル１０１上に相対時刻を示す空の映像を表示することにより、使用者に相対時刻を通知するようにしてもよい。
【００４９】
（５）上述した実施の形態では、制御装置１０３は、空時計を表示するに際しては、相対時刻が実時間の朝に対応する時刻である場合には、朝焼けを示した画像を表示し、相対時刻が実時間の日中に対応する時刻である場合には、晴天を示した画像を表示する例について説明した。また、相対時刻が実時間の夕方に対応する時刻である場合には、夕焼けを示した画像を表示し、相対時刻が実時間の夜間に対応する時刻である場合には、星空を示した画像を表示する例について説明した。しかしながら、空時計の表示方法はこれに限定されない。例えば、制御装置１０３は、空時計を表示するに際しては、相対時刻が実時間の朝に対応する時刻である場合には、朝日を模した画像を表示し、相対時刻が実時間の日中に対応する時刻である場合には、空高く昇った太陽を模した画像を表示し、相対時刻が実時間の夕方に対応する時刻である場合には、夕日を模した画像を表示し、相対時刻が実時間の夜間に対応する時刻である場合には、月を模した画像を表示するようにしてもよい。また、月を表示する際には、その日の月齢に基づいて月の満ち欠けを表現するようにしてもよい。また、その時刻の空の色に合うように、空の画像の色を変化させるようにしてもよい。
【００５０】
さらに、制御装置１０３は、空時計を表示するに際しては、空の画像内に渡り鳥、流れ星、ＵＦＯ、ツバメなどの画像をランダムに表示させるようにしてもよい。また、制御装置１０３は、相対時刻表示装置１００の現在位置を特定し、その地域の日の出時刻及び日の入り時刻を特定して、日の出時刻及び日の入り時刻に合わせて空時計として表示する画像や空の画像の色を変更するようにしてもよい。なお、相対時刻表示装置１００の現在位置は、使用者による設定またはＧＰＳによる測位によって特定すればよい。また、その地域の天気予報情報を取得して、現在の天候に合った空の画像を用いるようにしてもよい。
【００５１】
また、相対時刻表示装置１００に方位センサーを搭載して、相対時刻表示装置１００が向いている方角の空に合った画像を表示するようにしてもよい。例えば、星空の画像を表示する際には、向いている方角に見えている星が描かれた画像を表示するようにすれば、使用者は、仮想的な星座鑑賞を楽しむことができる。
【００５２】
（６）上述した実施の形態では、制御装置１０３は、空時計を表示するに際しては、空の画像に重畳して、相対時刻を数字や文字で表示できる例について説明した。しかしながら、使用者は、空時計を表示するに際して、空の画像に相対時刻を重畳して表示するか、表示しないかを任意に選択できるようにし、制御装置１０３は、使用者による選択に基づいて相対時刻の表示、非表示を切り替えるようにしてもよい。また、相対時刻とともに実時刻を表示できるようにしてもよい。
【００５３】
（７）上述した実施の形態では、空時計をタッチパネル１０１上に出力して表示する例について説明した。しかしながら、相対時刻表示装置１００に、外部の表示装置、例えばテレビやモニターと接続するためのインターフェースを搭載し、該インターフェースを介して接続した外部の表示装置に空時計を出力して表示するようにしてもよい。また、空時計を外部の表示装置に表示する場合には、複数の表示装置に同時に接続可能とし、３６０度に配置したモニターにそれぞれの角度の空時計をパノラマ表示するようにしてもよい。
【００５４】
（８）上述した実施の形態の相対時刻表示装置１００に、相対時刻表示装置１００をスリープ状態に移行させるスリープ機能や、タッチパネル１０１の明るさを調整する明るさ調整機能等の省エネ機能をさらに搭載するようにしてもよい。
【００５５】
（９）上述した実施の形態の相対時刻表示装置１００は、生体リズムを整える効果があるとされる光療法に用いることもできる。
【００５６】
（１０）上述した実施の形態の相対時刻表示装置１００は、通話機能を備えたスマートフォンを想定しているため、マイク１０５とスピーカー１０６とを備えるが、相対時刻表示装置１００として通話機能を備えない情報端末を用いる場合には、マイク１０５とスピーカー１０６は搭載されない。また、通信機能を備える必要がない端末を用いる場合には、通信モジュール１０２も不要となる。さらに、制御装置１０３が備えるフラッシュメモリを内部メモリとして用い、外部メモリを用いる必要がない場合には、メモリスロット１０４も不要となる。
【００５７】
（１１）上述した実施の形態では、相対時刻表示プログラムは、スマートフォンで実行可能な相対時刻表示アプリとして提供されており、ダウンロード等によって入手された相対時刻表示アプリのプログラムデータが不揮発性のメモリに記録されることにより、相対時刻表示装置１００に相対時刻表示アプリがインストールされる例について説明した。このように、相対時刻表示プログラムは、インターネット、パソコン通信などの通信回線、あるいは専用通信回線などの搬送波を利用してコンピュータ読み込み可能なコンピュータプログラム製品として供給されてもよい。あるいは、ＣＤ−ＲＯＭやＤＶＤ−ＲＯＭ等の記録媒体に記録されて提供されるコンピュータ読み込み可能なコンピュータプログラム製品として供給されるようにしてもよい。
【００５８】
なお、本発明の特徴的な機能を損なわない限り、本発明は、上述した実施の形態における構成に何ら限定されない。また、上述の実施の形態と複数の変形例を組み合わせた構成としてもよい。
【００５９】
次の優先権基礎出願の開示内容は引用文としてここに組み込まれる。
日本国特許出願２０１２年第１０５８４２号（２０１２年５月７日出願）
【符号の説明】
【００６０】
１００  相対時刻表示装置、１０１  タッチパネル、１０２  通信モジュール、１０３  制御装置、１０４  メモリスロット、１０５  マイク、１０６  スピーカー
【図１】
2013168511.tif 000003
【図２】
2013168511.tif 000004
【図３】
2013168511.tif 000005
【図４】
2013168511.tif 000006
【図５】
2013168511.tif 000007
【図６】
2013168511.tif 000008
【図７】
2013168511.tif 000009
【図８】
2013168511.tif 000010
【図９】
2013168511.tif 000011
【国際調査報告】
2013168511.tif 000012
2013168511.tif 000013
2013168511.tif 000014
2013168511.tif 000015